(57)【要約】【課題】複数のブランチを用いてダイバーシティ受信行う、外部機器の影響を簡便な作業で検出できる「放送受信装置」を提供する。【解決手段】制御部１２は、ユーザに外部機器をオフ状態に設定させた上で、各周波数チャネルについて、各ブランチ１におけるＣＮＲを一定期間測定する。また、ユーザに外部機器をオン状態に設定させた上で、各周波数チャネルについて、各ブランチ１におけるＣＮＲを一定期間測定する。そして、外部機器がオフ状態にあるときとオン状態にあるときの双方において測定したＣＮＲの集合におけるＣＮＲの変動係数が所定レベル以上大きくなる、ブランチ１と周波数チャネルの組み合わせを、外部機器の影響によって受信状態が不良となった組み合わせとして提示する。【選択図】図１
2019149651.tif 000002
【特許請求の範囲】
【請求項１】
アンテナを備え当該アンテナで受信チャネルとして設定された周波数チャネルの信号を受信するブランチを複数備え、当該複数のブランチを用いて放送のダイバーシティ受信行う放送受信装置であって、
外部機器の影響を検出する外部機器影響検出部を有し、
前記外部機器影響検出部は、
外部機器がオフ状態に設定された状態で、各ブランチに複数の周波数チャネルのＣＮＲ(Carrier to Noise ratio)を測定させると共に、外部機器がオン状態に設定された状態で、各ブランチに前記複数の周波数チャネルのＣＮＲを測定させるＣＮＲ測定制御手段と、
外部機器がオフ状態に設定された状態で各ブランチが測定したＣＮＲと外部機器がオン状態に設定された状態で各ブランチが測定したＣＮＲとよりなるＣＮＲの集合中におけるＣＮＲの変動係数(但し、変動係数=標準偏差/平均値)が所定レベル以上大きくなるブランチと周波数チャネルの組み合わせに含まれるブランチを、外部機器の影響によって受信状態が不良となったブランチとして算定するＣＮＲ解析手段と、
前記ＣＮＲ解析手段が算定したブランチを提示する提示手段とを有することを特徴とする放送受信装置。
【請求項２】
請求項１記載の放送受信装置であって、
前記ＣＮＲ解析手段は、外部機器がオフ状態に設定された状態で各ブランチが測定したＣＮＲの平均より、外部機器がオン状態に設定された状態で各ブランチが測定したＣＮＲの平均が大きくなるブランチと周波数チャネルの組み合わせ以外の組み合わせのうちから、外部機器がオフ状態に設定された状態で各ブランチが測定したＣＮＲと外部機器がオン状態に設定された状態で各ブランチが測定したＣＮＲとよりなるＣＮＲの集合中におけるＣＮＲの変動係数が所定レベル以上大きくなるブランチを算定し、算定した組み合わせに含まれるブランチを、外部機器の影響によって受信状態が不良となったブランチとして算定することを特徴とする放送受信装置。
【請求項３】
アンテナを備え当該アンテナで受信チャネルとして設定された周波数チャネルの信号を受信するブランチを複数備え、当該複数のブランチを用いて放送のダイバーシティ受信行う放送受信装置であって、
外部機器の影響を検出する外部機器影響検出部を有し、
前記外部機器影響検出部は、
外部機器がオフ状態に設定された状態で、各ブランチに複数の周波数チャネルのＣＮＲ(Carrier to Noise ratio)を測定させると共に、外部機器がオン状態に設定された状態で、各ブランチに前記複数の周波数チャネルのＣＮＲを測定させるＣＮＲ測定制御手段と、
外部機器がオフ状態に設定された状態で各ブランチが測定したＣＮＲと外部機器がオン状態に設定された状態で各ブランチが測定したＣＮＲとよりなるＣＮＲの集合中におけるＣＮＲの変動係数(但し、変動係数=標準偏差/平均値)が所定レベル以上大きくなる、ブランチと周波数チャネルの組み合わせを、外部機器の影響によって受信状態が不良となったブランチと周波数チャネルの組み合わせとして算定するＣＮＲ解析手段と、
前記ＣＮＲ解析手段が算定した、ブランチと周波数チャネルの組み合わせを提示する提示手段とを有することを特徴とする放送受信装置。
【請求項４】
請求項３記載の放送受信装置であって、
前記ＣＮＲ解析手段は、外部機器がオフ状態に設定された状態で各ブランチが測定したＣＮＲの平均より、外部機器がオン状態に設定された状態で各ブランチが測定したＣＮＲの平均が大きくなるブランチと周波数チャネルの組み合わせ以外の組み合わせのうちから、外部機器がオフ状態に設定された状態で各ブランチが測定したＣＮＲと外部機器がオン状態に設定された状態で各ブランチが測定したＣＮＲとよりなるＣＮＲの集合中におけるＣＮＲの変動係数が所定レベル以上大きくなる、ブランチと周波数チャネルの組み合わせを、外部機器の影響によって受信状態が不良となったブランチと周波数チャネルの組み合わせとして算定することを特徴とする放送受信装置。
【請求項５】
請求項１、２、３または４記載の放送受信装置であって、
前記ＣＮＲ測定制御手段は、前記複数のブランチの全部または一部を用いたダイバーシティ受信で放送を受信可能な周波数チャネルを探索し、探索した周波数チャネルを前記複数の周波数チャネルとして、外部機器がオフ状態に設定された状態で、各ブランチに前記複数の周波数チャネルのＣＮＲを測定させると共に、外部機器がオン状態に設定された状態で、各ブランチに前記複数の周波数チャネルのＣＮＲを測定させることを特徴とする放送受信装置。
【請求項６】
請求項１、２、３、４または５記載の放送受信装置であって、
前記ＣＮＲ測定制御手段は、外部機器をオフ状態に設定するよう要請するメッセージを提示し、外部機器をオフ状態に設定したことの応答をユーザから受け付けることにより、外部機器がオフ状態に設定されていることを確認し、外部機器がオフ状態に設定された状態で、各ブランチに前記複数の周波数チャネルのＣＮＲを測定させると共に、外部機器をオン状態に設定するよう要請するメッセージを提示し、外部機器をオン状態に設定したことの応答をユーザから受け付けることにより、外部機器がオン状態に設定されていることを確認し、外部機器がオン状態に設定された状態で、各ブランチに前記複数の周波数チャネルのＣＮＲを測定させることを特徴とする放送受信装置。
【請求項７】
請求項１、２、３、４、５または６記載の放送受信装置であって、
当該放送受信装置は、自動車に搭載される放送受信装置であって、
前記各ブランチのアンテナは前記自動車のウインドウシールド上に配置され、
前記外部機器は、前記アンテナの近くに配置された外部機器であることを特徴とする放送受信装置。
【請求項８】
請求項１、２、３、４、５、６または７記載の放送受信装置であって、
当該放送受信装置は前記放送として地上デジタルテレビ放送を受信することを特徴とする放送受信装置。
【発明の詳細な説明】
【技術分野】
【０００１】
本発明は、ダイバーシティ受信を行う放送受信装置に関するものである。
【背景技術】
【０００２】
ダイバーシティ受信を行う放送受信装置としては、アンテナとアンテナで捕捉された電波から受信信号を取得する受信回路と受信信号を復調する復調回路とよりなるブランチを複数備え、各ブランチの復調回路から出力される各復調信号を、各アンテナの妨害波の影響の大きさに応じた重みを付けて合成する放送受信装置が知られている（たとえば、特許文献１）。
【先行技術文献】
【特許文献】
【０００３】
【特許文献１】特開平１０-２７１０５３号公報
【発明の概要】
【発明が解決しようとする課題】
【０００４】
ダイバーシティ受信を行う複数のアンテナを備えた放送受信装置が搭載された自動車に、ドライブレコーダや車両安全システム用の前方監視装置などの外部機器が搭載される場合ある。
【０００５】
そして、このような場合、外部機器の設置位置によっては、外部機器から輻射されるノイズが、一つまたは複数のアンテナにおける一部の周波数帯域内の放送の受信の障害となることがある。
【０００６】
そして、外部機器の設置が、放送受信装置のどのアンテナにおけるどの周波数帯域内の放送の受信の障害となるかを検出するためには、受信周波数を変更しながら個々の周波数チャネルの個々のアンテナにおける受信状態を各々調べる煩雑な作業を行う必要があった。
【０００７】
そこで、本発明は、ダイバーシティ受信を行う複数のアンテナを備えた放送受信装置において、外部機器の影響を簡便な作業で検出できるようにすることを課題とする
【課題を解決するための手段】
【０００８】
本発明は、前記課題達成のために、アンテナを備え当該アンテナで受信チャネルとして設定された周波数チャネルの信号を受信するブランチを複数備え、当該複数のブランチを用いて放送のダイバーシティ受信行う放送受信装置に、外部機器の影響を検出する外部機器影響検出部を備えたものである。ここで、外部機器影響検出部は、外部機器がオフ状態に設定された状態で、各ブランチに複数の周波数チャネルのＣＮＲ(Carrier to Noise ratio)を測定させると共に、外部機器がオン状態に設定された状態で、各ブランチに前記複数の周波数チャネルのＣＮＲを測定させるＣＮＲ測定制御手段と、外部機器がオフ状態に設定された状態で各ブランチが測定したＣＮＲと外部機器がオン状態に設定された状態で各ブランチが測定したＣＮＲとよりなるＣＮＲの集合中におけるＣＮＲの変動係数(但し、変動係数=標準偏差/平均値)が所定レベル以上大きくなるブランチと周波数チャネルの組み合わせに含まれるブランチを、外部機器の影響によって受信状態が不良となったブランチとして算定するＣＮＲ解析手段と、前記ＣＮＲ解析手段が算定したブランチを提示する提示手段とを備えている。
【０００９】
ここで、このような放送受信装置は、前記ＣＮＲ解析手段において、外部機器がオフ状態に設定された状態で各ブランチが測定したＣＮＲの平均より、外部機器がオン状態に設定された状態で各ブランチが測定したＣＮＲの平均が大きくなるブランチと周波数チャネルの組み合わせ以外の組み合わせのうちから、外部機器がオフ状態に設定された状態で各ブランチが測定したＣＮＲと外部機器がオン状態に設定された状態で各ブランチが測定したＣＮＲとよりなるＣＮＲの集合中におけるＣＮＲの変動係数が所定レベル以上大きくなるブランチを算定し、算定した組み合わせに含まれるブランチを、外部機器の影響によって受信状態が不良となったブランチとして算定するように構成してもよい。
【００１０】
また、本発明は前記課題達成のために、アンテナを備え当該アンテナで受信チャネルとして設定された周波数チャネルの信号を受信するブランチを複数備え、当該複数のブランチを用いて放送のダイバーシティ受信行う放送受信装置に、外部機器の影響を検出する外部機器影響検出部を設け、前記外部機器影響検出部を、外部機器がオフ状態に設定された状態で、各ブランチに複数の周波数チャネルのＣＮＲ(Carrier to Noise ratio)を測定させると共に、外部機器がオン状態に設定された状態で、各ブランチに前記複数の周波数チャネルのＣＮＲを測定させるＣＮＲ測定制御手段と、外部機器がオフ状態に設定された状態で各ブランチが測定したＣＮＲと外部機器がオン状態に設定された状態で各ブランチが測定したＣＮＲとよりなるＣＮＲの集合中におけるＣＮＲの変動係数(但し、変動係数=標準偏差/平均値)が所定レベル以上大きくなる、ブランチと周波数チャネルの組み合わせを、外部機器の影響によって受信状態が不良となったブランチと周波数チャネルの組み合わせとして算定するＣＮＲ解析手段と、前記ＣＮＲ解析手段が算定した、ブランチと周波数チャネルの組み合わせを提示する提示手段とを含めて構成したものである。
【００１１】
ここで、このような放送受信装置は、前記ＣＮＲ解析手段においては、外部機器がオフ状態に設定された状態で各ブランチが測定したＣＮＲの平均より、外部機器がオン状態に設定された状態で各ブランチが測定したＣＮＲの平均が大きくなるブランチと周波数チャネルの組み合わせ以外の組み合わせのうちから、外部機器がオフ状態に設定された状態で各ブランチが測定したＣＮＲと外部機器がオン状態に設定された状態で各ブランチが測定したＣＮＲとよりなるＣＮＲの集合中におけるＣＮＲの変動係数が所定レベル以上大きくなる、ブランチと周波数チャネルの組み合わせを外部機器の影響によって受信状態が不良となったブランチと周波数チャネルの組み合わせとして算定するように構成してもよい。
【００１２】
また、以上の放送受信装置では、前記ＣＮＲ測定制御手段において、前記複数のブランチの全部または一部を用いたダイバーシティ受信で放送を受信可能な周波数チャネルを探索し、探索した周波数チャネルを前記複数の周波数チャネルとして、外部機器がオフ状態に設定された状態で、各ブランチに前記複数の周波数チャネルのＣＮＲを測定させると共に、外部機器がオン状態に設定された状態で、各ブランチに前記複数の周波数チャネルのＣＮＲを測定させるように構成してもよい。
【００１３】
また、以上の放送受信装置は、前記ＣＮＲ測定制御手段において、外部機器をオフ状態に設定するよう要請するメッセージを提示し、外部機器をオフ状態に設定したことの応答をユーザから受け付けることにより、外部機器がオフ状態に設定されていることを確認し、外部機器がオフ状態に設定された状態で、各ブランチに前記複数の周波数チャネルのＣＮＲを測定させると共に、外部機器をオン状態に設定するよう要請するメッセージを提示し、外部機器をオン状態に設定したことの応答をユーザから受け付けることにより、外部機器がオン状態に設定されていることを確認し、外部機器がオン状態に設定された状態で、各ブランチに前記複数の周波数チャネルのＣＮＲを測定させるように構成してもよい。
【００１４】
また、以上の放送受信装置は、自動車に搭載される放送受信装置であってよく、この場合、前記各ブランチのアンテナは前記自動車のウインドウシールド上に配置されるものであってよく、前記外部機器は、前記アンテナの近くに配置された外部機器であってよい。
【００１５】
また、以上の放送受信装置は前記放送として地上デジタルテレビ放送を受信するものであってよい。
以上のような放送受信装置によれば、ユーザは、簡単な操作を行うだけで、外部機器の影響によって受信状態が不良となるブランチと周波数チャネルの組み合わせを知得することができる。そして、知得した内容に基づいて、外部機器やアンテナの設置位置を変更することができる。または、放送受信装置において、受信不良が発生したときに、その原因が外部機器にあるのかどうかを識別することができる。
【発明の効果】
【００１６】
以上のように、本発明によれば、ダイバーシティ受信を行う複数のアンテナを備えた放送受信装置において、外部機器の影響を簡便な作業で検出することができる。
【図面の簡単な説明】
【００１７】
【図１】本発明の実施形態に係る放送受信装置の構成を示すブロック図である。
【図２】本発明の実施形態に係る放送受信装置のアンテナと外部機器の配置例を示す図である。
【図３】本発明の実施形態に係る外部機器影響検出処理を示すフローチャートである。
【図４】本発明の実施形態に係る放送受信装置の表示画面を示す図である。
【図５】本発明の実施形態に係る計測例を示す図である。
【発明を実施するための形態】
【００１８】
以下、本発明の実施形態について、自動車に搭載された、地上デジタルテレビ放送を受信する放送受信装置への適用を例にとり説明する。
図１に、本実施形態に係る放送受信装置の構成を示す。
図示するように放送受信装置は、ＢＲ１、ＢＲ２、ＢＲ３、ＢＲ４の４つのブランチ１、セレクタ２、第１合成器３、第２合成器４、ＡＶデコーダ５、バックグランド処理部６、出力合成部７、表示装置８、スピーカ９、入力装置１０、メモリ１１、制御部１２を備えている。
【００１９】
また、各ブランチ１は、アンテナ１０１、チューナ１０２、復調器１０３を備えている。
このような構成において、各ブランチ１のチューナ１０２は制御部１２から受信チャネルとして設定された周波数チャネルの受信信号をアンテナ１０１で捕捉した電波から生成し、復調器１０３はチューナ１０２が生成した受信信号を復調し復調信号としてセレクタ２に出力する。
【００２０】
また、復調器１０３は、チューナ１０２が出力した受信信号のＣＮＲ（Carrier to Noise ratio)を算出し、制御部１２と、第１合成器３、第２合成器４に出力する。
セレクタ２は、制御部１２に制御に従って、４つのブランチ１から出力された４つの復調信号のうちの最大４つの復調信号を第１合成器３に出力すると共に、制御部１２に制御に従って、４つのブランチ１から出力された４つの復調信号のうちの最大２つの復調信号を第２合成器４に出力する。
【００２１】
第１合成器３は、セレクタ２から入力した各復調信号を最大比合成方式で合成し、ＡＶデコーダ５に出力し、第２合成器４はセレクタ２から入力した各復調信号を最大比合成方式で合成し、バックグランド処理部６に出力する。
【００２２】
また、第１合成器３は当該第１合成器３で合成後のＣＮＲを制御部１２に通知し、第２合成器４は当該第２合成器４で合成後のＣＮＲを制御部１２に通知する。
ＡＶデコーダ５は、第１合成器３で合成された復調信号からビデオとオーディオをデコードし出力合成部７に出力し、バックグランド処理部６は制御部１２の制御に従って、第２合成器４で合成された復調信号を用いて、各周波数チャネルからの番組情報の取得や、視聴中の周波数チャネルと同じ放送を行っている周波数チャネルを探索する中継局サーチといったバックグランド処理を行い、バックグランド処理の結果を制御部１２に通知する。
【００２３】
出力合成部７は、ＡＶデコーダ５から出力されたビデオを表示装置８に表示し、ＡＶデコーダ５から出力されたオーディオをスピーカ９に出力する。また、出力合成部７は、制御部１２の制御に従って、ＡＶデコーダ５から出力されたビデオに制御部１２から出力される画像を合成して表示装置８に表示したり、ＡＶデコーダ５から出力されたオーディオに制御部１２から出力される音声を合成してスピーカ９に出力したり、制御部１２から出力される画像のみを表示装置８に表示したり、制御部１２から出力される音声のみをスピーカ９に出力したりすることもできる。
【００２４】
そして、このような構成において、制御部１２は、４つのブランチ１の一部または全部を、放送受信用ブランチに設定し、入力装置１０の操作等によってユーザから視聴を指定された放送の周波数チャネルを受信チャネルとして、放送受信用ブランチに設定した各ブランチ１のチューナ１０２に設定すると共に、放送受信用ブランチの出力する復調信号を第１合成器３に出力するようセレクタ２を制御することにより、視聴を指定された放送のビデオとオーディオを表示装置８とスピーカ９に出力する。
【００２５】
また、制御部１２は、バックグランド処理を行う場合には、４つのブランチ１のうちの一部のブランチ１を放送受信用ブランチに設定し、残りのブランチ１のうちの最大２つのバックグランド処理用ブランチに設定する。そして、制御部１２は、バックグランド処理において受信する必要のある周波数チャネルを受信チャネルとして、バックグランド処理用ブランチの出力する復調信号を第２合成器４に出力するようにセレクタ２を制御し、バックグランド処理用ブランチに設定した各ブランチ１のチューナ１０２に設定しつつ、バックグランド処理部６に所定のバックグランド処理を行わせる。
【００２６】
ここで、図２に示すように、４つのブランチ１のアンテナ１０１は、自動車のフロントウインドシールドの周縁の異なる位置に貼り付け等によって固定配置される。
さて、自動車には、放送受信装置の他に、ドライブレコーダや車両安全システム用の前方監視装置などの外部機器が搭載される場合がある。
また、このような外部機器は、図２に、外部機器がドライブレコーダ２００である場合について示したように、いずれかのアンテナ１０１に近い位置に外部機器が配置されることもある。
そして、このような外部機器から輻射されるノイズが、一つまたは複数のアンテナ１０１における一部の周波数帯域内の周波数チャネルの受信の障害となることがある。
【００２７】
そこで、本実施形態に係る制御部１２は、このような障害の状況を検出する外部機器影響検出処理を行う機能を備えている。
図３に、この外部機器影響検出処理の手順を示す。
ここで、この外部機器影響検出処理は、所定のユーザ操作により入力装置１０から外部機器影響検出を指示されたときに制御部１２で開始される処理である。
さて、図示するように、制御部１２は、外部機器影響検出処理において、まず、表示装置８に、図４ａに示すような外部機器をオフ状態に設定することを要請するメッセージを表した外部機器オフ要請画面を表示する（ステップ３０２）。
【００２８】
ここで、ユーザは、この外部機器オフ要請画面の要請に従って外部機器をオフ状態に設定したならば、測定開始指示を入力装置１０から入力する。すなわち、ユーザは、たとえば、図４ａの外部機器オフ要請画面に設けた「スタート」ボタンの操作等により測定開始指示を入力する。
【００２９】
図３に戻り、制御部１２は、測定開始指示の入力を受け付けたならば（ステップ３０４）、測定中であることを示す図４ｂに示すような測定中通知画面を表示する（ステップ３０６）。ここで、測定中通知画面では、図４ｂに示すように測定の進捗状況も表すことが好ましい。
【００３０】
次に、制御部１２は、放送を受信可能な周波数チャネルをスキャンして探索し、探索した放送を受信可能な周波数チャネルをプリセット周波数チャネルとしてメモリ１１に保存する（ステップ３０８）。
【００３１】
ここで、放送を受信可能な周波数チャネルのスキャンは、たとえば、ＡＶデコーダ５から出力されるビデオとオーディオの表示装置８やスピーカ９への出力をミュートした上で、４つのブランチ１の全部を放送受信用ブランチに設定し、各放送受信用ブランチの出力する復調信号を第１合成器３に出力するようセレクタ２を制御した状態で、各放送受信用ブランチのチューナ１０２に受信チャネルとして設定する周波数チャネルを順次切替ながら、第１合成器３から通知されるＣＮＲが良好な周波数チャネルを探索すること等により行う。
【００３２】
そして、次に、各プリセット周波数チャネルについて、当該プリセット周波数チャネルの各ブランチ１におけるＣＮＲを一定期間繰り返し測定する（ステップ３１０）。
すなわち、制御部１２は、各プリセット周波数チャネルについて、順次、当該プリセット周波数チャネルを受信チャネルとして各ブランチ１のチューナ１０２に設定し、一定期間、各ブランチ１の復調器１０３が検出するＣＮＲを収集しメモリ１１に保存する処理を行う。
【００３３】
そして、次に、表示装置８に、図４ｃに示すような外部機器をオン状態に設定することを要請するメッセージを表した外部機器オン要請画面を表示する（ステップ３１２）。
ここで、ユーザは、この外部機器オン要請画面の要請に従って外部機器をオン状態に設定したならば、測定開始指示を入力装置１０から入力する。すなわち、ユーザは、たとえば、図４ｃの外部機器オン要請画面に設けた「スタート」ボタンの操作等により測定開始指示を入力する。
【００３４】
図３に戻り、測定開始指示の入力を受け付けたならば（ステップ３１４）、測定中であることを示す図４ｄに示すような測定中通知画面を表示する（ステップ３１６）。
そして、制御部１２は、ステップ３１０と同様に、各プリセット周波数チャネルについて、当該プリセット周波数チャネルの各ブランチ１におけるのＣＮＲを一定期間繰り返し測定する（ステップ３１８）。
【００３５】
そして、次に制御部１２は、保存されているＣＮＲを解析する解析処理を行う（ステップ３２０）。
ここで、ステップ３２０の解析処理では、制御部１２は、各プリセット周波数チャネルと各ブランチ１の組み合わせ毎に、外部機器がオフ状態にあり、当該プリセット周波数チャネルが当該ブランチ１のチューナ１０２に受信チャネルとして設定されているときに、当該ブランチ１の復調器１０３から収集したＣＮＲの、平均、標準偏差、変動係数（標準偏差/平均）を、外部機器がオフ状態にあるときについての、当該プリセット周波数チャネルと当該ブランチ１の組み合わせのＣＮＲの、平均、標準偏差、変動係数として算定する。
【００３６】
また、各プリセット周波数チャネル毎に、外部機器がオフ状態にあり、当該周波数チャネルが各ブランチ１のチューナ１０２に受信チャネルとして設定されているときに、各ブランチ１の復調器１０３から収集したＣＮＲの、平均、標準偏差、変動係数を、外部機器がオフ状態にあるときについての、当該プリセット周波数チャネルとブランチ１全体の組み合わせのＣＮＲの、平均、標準偏差、変動係数として算定する。
【００３７】
また、制御部１２は、各プリセット周波数チャネルとブランチ１の組み合わせ毎に、外部機器がオン状態にあり、当該プリセット周波数チャネルが当該ブランチ１のチューナ１０２に受信チャネルとして設定されているときに、当該ブランチ１の復調器１０３から収集したＣＮＲの、平均、標準偏差、変動係数（標準偏差/平均）を、外部機器がオン状態にあるときについての、当該プリセット周波数チャネルと当該ブランチ１の組み合わせのＣＮＲの、平均、標準偏差、変動係数として算定する。
【００３８】
また、各プリセット周波数チャネル毎に、外部機器がオン状態にあり、当該周波数チャネルが各ブランチ１のチューナ１０２に受信チャネルとして設定されているときに、各ブランチ１の復調器１０３から収集したＣＮＲの、平均、標準偏差、変動係数を、外部機器がオン状態にあるときについての、当該プリセット周波数チャネルとブランチ１全体の組み合わせのＣＮＲの、平均、標準偏差、変動係数として算定する。
【００３９】
また、制御部１２は、各プリセット周波数チャネルとブランチ１の組み合わせ毎に、外部機器がオフ状態にあり、当該プリセット周波数チャネルが当該ブランチ１のチューナ１０２に受信チャネルとして設定されているときに、当該ブランチ１の復調器１０３から収集したＣＮＲと、外部機器がオン状態にあり、当該プリセット周波数チャネルが当該ブランチ１のチューナ１０２に受信チャネルとして設定されているときに、当該ブランチ１の復調器１０３から収集したＣＮＲとを合わせたＣＮＲの集合における、ＣＮＲの平均、標準偏差、変動係数（標準偏差/平均）を、外部機器がオン状態にあるときとオフ状態にあるときとの全体についての、当該プリセット周波数チャネルと当該ブランチ１の組み合わせのＣＮＲの、平均、標準偏差、変動係数として算定する。
【００４０】
また、各プリセット周波数チャネル毎に、外部機器がオフ状態にあり、当該周波数チャネルが各ブランチ１のチューナ１０２に受信チャネルとして設定されているときに、各ブランチ１の復調器１０３から収集したＣＮＲと、外部機器がオン状態にあり、当該周波数チャネルが各ブランチ１のチューナ１０２に受信チャネルとして設定されているときに、各ブランチ１の復調器１０３から収集したＣＮＲとを合わせたＣＮＲの集合中における、ＣＮＲの平均、標準偏差、変動係数（標準偏差/平均）を、外部機器がオン状態にあるときとオフ状態にあるときとの全体についての、当該プリセット周波数チャネルとブランチ１全体の組み合わせのＣＮＲの、平均、標準偏差、変動係数として算定する。
【００４１】
そして、以上のようにして求めた、各ＣＮＲの平均、標準偏差、変動係数を解析して、外部機器の影響によって受信状態が不良となっているブランチ１と周波数チャネルの組み合わせを算定する。
【００４２】
この算定は、次のように行う、
すなわち、あるプリセット周波数チャネルＣｈＸについて、外部機器がオフ状態にあるときについての、当該プリセット周波数チャネルＣｈＸと各ブランチ１、ブランチ１全体の組み合わせのＣＮＲの、平均、標準偏差、変動係数が図５ａのように算定されており、外部機器がオン状態にあるときについての、当該プリセット周波数チャネルＣｈＸと各ブランチ１、ブランチ１全体の組み合わせのＣＮＲの、平均、標準偏差、変動係数が図５ｂのように算定されており、外部機器がオン状態にあるときとオフ状態にあるときとの全体についての、当該プリセット周波数チャネルＣｈＸと各ブランチ１、ブランチ１全体の組み合わせのＣＮＲの、平均、標準偏差、変動係数が図５ｃのように算定されている場合、まず、外部機器がオフ状態にあるときの平均より外部機器がオン状態にあるときの平均が大きくなっているブランチ１を、非不良ブランチとして算定する。図示した例では、ブランチＢＲ４の平均が外部機器がオフ状態にあるときよりも外部機器がオン状態にあるときに大きくなっているので、ブランチＢＲ４を非不良ブランチとして設定する。
【００４３】
そして、非不良ブランチを除くブランチ１のうちの、図５ｃの外部機器がオン状態にあるときとオフ状態にあるときとの全体についての変動係数が所定のレベルよりも大きいブランチ１と当該プリセット周波数チャネルＣｈＸとの組み合わせを、外部機器の影響によって受信状態が不良となっているブランチ１と周波数チャネルの組み合わせとする。
【００４４】
ここで、外部機器がオン状態にあるときとオフ状態にあるときとの全体についての変動係数が所定のレベルよりも大きいブランチ１とは、変動係数が所定しきい値より大きい変動係数が算出されたブランチ１としてもよいし、外部機器がオン状態にあるときとオフ状態にあるときとの全体についてのブランチ１全体の変動係数との差が所定しきい値より大きい変動係数が算出されたブランチ１としてもよいし、他のブランチ１について算出された変動係数に対して特異に大きい変動係数が算出されたブランチ１としてもよい。
【００４５】
図示した例では、非不良ブランチとして算定したブランチＢＲ４を除くブランチＢＲ１、ＢＲ２、ＢＲ３の、図５ｃの外部機器がオン状態にあるときとオフ状態にあるときとの全体についての変動係数は、ブランチＢＲ３が顕著に大きくなっているので、ブランチＢＲ３を変動係数が所定のレベルよりも大きいブランチ１とし、ブランチＢＲ３と当該プリセット周波数チャネルＣｈＸの組み合わせを、外部機器の影響によって受信状態が不良となっているブランチ１と周波数チャネルの組み合わせとする。
【００４６】
図３に戻り、以上のような解析処理が終了したならば、図４ｅに示すような解析結果画面を表示装置８に表示する（ステップ３２２）。ここで、図４ｅ１に示すように、解析結果画面では、外部機器の影響によって受信状態が不良となっているブランチ１と周波数チャネルの組み合わせとして解析処理で算定されたブランチ１と周波数チャネルの組み合わせを、外部機器の影響によって受信が不良となる可能性のあるブランチ１と周波数チャネルの組み合わせとして提示する。
【００４７】
但し、解析処理で不良と判定されたブランチ１と周波数チャネルの組み合わせが存在しなかった場合には、図４ｅ２に示すような解析結果画面によって、外部機器の影響による問題は検出されなかった旨を提示するようにしてもよい。
【００４８】
ここで、解析結果画面で解析結果を確認したユーザは確認の旨を入力装置１０から入力する。すなわち、ユーザは、たとえば、図４ｅ１、ｅ２の解析結果画面に設けた「ＯＫ」ボタンの操作等により確認の旨を入力する。
【００４９】
そして、ユーザから確認の旨の入力を受けた制御部１２（ステップ３２４）は、外部機器影響検出処理を終了する。
以上、制御部１２が行う外部機器影響検出処理について説明した。
以上のような外部機器影響検出処理によれば、ユーザは、簡単な操作を行うだけで、外部機器の影響によって受信状態が不良となるブランチ１と周波数チャネルの組み合わせを知得することができる。そして、知得した内容に基づいて、外部機器やアンテナ１０１の設置位置を変更することができる。または、放送受信装置において、受信不良が発生したときに、その原因が外部機器にあるのかどうかを識別することができる。
【符号の説明】
【００５０】
１…ブランチ、２…セレクタ、３…第１合成器、４…第２合成器、５…ＡＶデコーダ、６…バックグランド処理部、７…出力合成部、８…表示装置、９…スピーカ、１０…入力装置、１１…メモリ、１２…制御部、１０１…アンテナ、１０２…チューナ、１０３…復調器、２００…ドライブレコーダ。
【図１】
2019149651.tif 000003
【図２】
2019149651.tif 000004
【図３】
2019149651.tif 000005
【図４】
2019149651.tif 000006
【図５】
2019149651.tif 000007